(57)【特許請求の範囲】
【請求項１】
針板上の生地を貫通して上下動する針と、針板下にて進退動作するルーパとを備え、前記針の下動により繰り出されて上動への転換時に針板下に残る針糸のループを前記ルーパの進出により捉え、前記生地の送りに伴って引き出す一方、前記ルーパの進出により繰り出されて退入への転換時に針板下に残るルーパ糸のループを前記針の下動により捉える動作を繰り返して、二重環縫い又は偏平縫いの縫い目を形成するミシンにおいて、
前記針板の下側を動作域とし、前記針の上動から下動への転換に同期して進出動作を開始し、前記針に先行して前記ルーパの動作域に達して、前記針よりも前記ルーパの進出側にてルーパ糸を捉え、該ルーパ糸を緊張下に保持すると共に、前記針の下動から上動への転換に同期して退入動作を開始し、この退入動作中に前記ルーパ糸の保持を解除する保持手段を具備することを特徴とするミシン。
【発明の詳細な説明】
【０００１】
【産業上の利用分野】
本発明は、二重環縫いミシン、偏平縫いミシン、安全縫いミシン等、針板上の生地を貫通する針と、針板下にて進退動作するルーパとの共動により縫いを構成するミシンに関する。
【０００２】
【従来の技術】
二重環縫いミシンは、針板上の生地を貫通して上下動する一又は複数の針と、この針の上下動及び前記生地の送りの方向と夫々交叉する方向の進退動作を針板の下側にて行なうルーパとを備えてなり、針の下動により繰り出されて上動への転換時に針板下に残る針糸のループをルーパの進出により捉え、生地の送りに伴って引き出す一方、ルーパの前記進出により繰り出されて退入への転換時に残るルーパ糸のループを針の下動により針板下にて捉える動作を繰り返し、所定の縫い目を形成するミシンである。
【０００３】
また、同種の縫い動作を行なうミシンとして偏平縫いミシンがあり、更に、生地の端縁の縁かがり縫いと同時に、この縫いの一側に沿わせて二重環縫いを行なわせるように構成された安全縫いミシンがある。
【０００４】
図７及び図８は、安全縫いミシンによる縫い目を生地の裏面側から見た平面図である。これらに示す如く二重環縫いの縫い目Ｓ1 は、生地Ｗの端縁Ｅを表裏に跨いで形成された縁かがり縫いの縫い目Ｓ2 の内側において、運針量に相当する所定の間隔毎に露出する針糸10のループにルーパ糸20を絡ませて、前記端縁Ｅと略平行をなして形成されている。
【０００５】
図中の白抜矢符は生地Ｗの送り方向を示している。針糸10とルーパ糸20とは、針糸10の一つのループ（後ループ）に送り方向後側からルーパ糸20を挿通し、後ループの前側に相隣するループ（前ループ）の前部を通して後方に戻し、後ループに再度挿通せしめて折り返し、送り方向後側から前ループに挿通する順を繰り返すことにより、ルーパ糸20が形成する二重の環を送り方向に相隣する後ループと前ループとの間に架け渡した態様をなして絡み合っている。
【０００６】
図７と図８とに夫々示す縫い目形態の相違は、針糸10とルーパ糸20との張力バランスによって生じるものであり、ルーパ糸20の張力に対して針糸10の張力を相対的に高めた場合、生地Ｗの表面側への針糸10の引きによりルーパ糸20の挿通部位が強く引き締められる結果、図７に示す如く、ルーパ糸20が形成する二重環が後ループと前ループとの間にて幅方向に広がった縫い目が得られる。逆に、ルーパ糸20の張力に対して針糸10の張力を相対的に弱めた場合、図８に示す如く、ルーパ糸20が形成する二重環が後ループと前ループとの間にて相互に重なった縫い目が得られる。
【０００７】
このような縫い目の形態は、縫製対象となる生地Ｗの種類、縫製部位等の縫製条件に応じて選定される。即ち、デニム地等、剛性に富む厚手の生地の縫製においては、緩みのない強固な縫いを実現すべく図８に示す縫い目が選定されるのに対し、ワイシャツ用の生地等、柔軟性に富む薄手の生地の縫製においては、柔らかな風合いを得るべく図７に示す縫い目が選定される。
【０００８】
ところが、図７に示す縫い目を得るには、前述した如く、針糸10の張力をルーパ糸20の張力に対して相対的に高めねばならず、このことを針糸10の張力を増して実現した場合、針糸10の高張力により生地自体が引き締められ、縫製後の生地にパッカリングと称される表面皺が発生して、仕上がり品質の低下を招く問題があり、逆に、ルーパ糸20の張力を減じて実現した場合、ルーパにより繰り出されるルーパ糸20が弛緩状態にあるために、針の下動によるルーパ糸20の捕捉ミスが生じ易く、目飛びが発生して仕上がり品質の低下を招く問題がある。
【０００９】
以上の如き問題を解決し図７に示す如き縫い目を安定して得るべく、従来から種々の提案がなされており、例えば、実開平１−121572号公報には、針板の裏面に設けた凹部に弛緩状態にあるルーパ糸20を受容し、針の下動による捕捉ミスをなくすようにした構成が開示されているが、この構成を含めた多くの提案は有効性に乏しいものであり、有効な構成の一つとして、リテーナと称される保持針を備えたミシンが実用化されている。
【００１０】
このリテーナは、針の上下動のための針棒の先端に装着され、針と共に上下動するようになしてあり、前記針にやや先行して針板上の生地を貫通して針板下に達し、該針よりもルーパの進出側（外側）にてルーパ糸20を捕捉する構成となっている。
【００１１】
この構成によれば、ルーパの進出により繰り出されたルーパ糸20は、針よりも外側（複数の針を有する場合には最外側の針の更に外側）においてリテーナにより支えられる結果、該ルーパ糸20は、ルーパの退入に伴って下動する針により確実に捕捉され、目飛びの発生を有効に防ぐことができる。また、リテーナによるルーパ糸20の保持は、ルーパの次の進出に同期した針の上動にやや遅れて解除され、この解除前に針糸10の引き締めが行なわれる結果、保持中のルーパ糸20が張力を有していたとしても、ルーパ糸20による二重環が緩やかに広がった図７に示す縫い目を得ることができる。
【００１２】
このようにリテーナを備えたミシンにおいては、針糸10の張力を過剰に増すことなく、またルーパ糸20の張力を過剰に減じることなく、図７に示す縫い目が安定して得られ、柔軟性に富む薄手の生地の二重環縫い又は偏平縫いが、表面皺、目飛び等の縫製不良の発生を招くことなく実施できる。
【００１３】
【発明が解決しようとする課題】
ところが前記リテーナは、針板下でのルーパ糸20の保持のために、針と共に生地Ｗを貫通することから、図７に示す如く、二重環の縫い目Ｓ1 の一側（ルーパの進出側）にリテーナの貫通に伴う空孔Ｈ，Ｈ…が並ぶことになり、特に高い仕上がり品質が要求される用途においては、これらの空孔Ｈ，Ｈ…の存在が問題となる虞れがある。
【００１４】
また近年においては、洗濯後のアイロンかけを不要とすべく、形状記憶機能を有するワイシャツが実用化されているが、この種のワイシャツの縫製にリテーナを備えたミシンを用いた場合、前記空孔Ｈ，Ｈ…が形成時のままに残り、良好な仕上がり品質が得られなくなる虞れがある。
【００１５】
本発明は斯かる事情に鑑みてなされたものであり、柔軟性に富む薄手の生地の二重環縫い又は偏平縫いに際し、目飛び、表面皺等の縫製不良の発生を有効に抑えると共に、生地に余分な痕跡を残すことがなく、良質な縫製品を安定して得ることができるミシンを提供することを目的とする。
【００１６】
【課題を解決するための手段】
本発明に係るミシンは、針板上の生地を貫通して上下動する針と、針板下にて進退動作するルーパとを備え、前記針の下動により繰り出されて上動への転換時に針板下に残る針糸のループを前記ルーパの進出により捉え、前記生地の送りに伴って引き出す一方、前記ルーパの進出により繰り出されて退入への転換時に針板下に残るルーパ糸のループを前記針の下動により捉える動作を繰り返して、二重環縫い又は偏平縫いの縫い目を形成するミシンにおいて、前記針板の下側を動作域とし、前記針の上動から下動への転換に同期して進出動作を開始し、前記針に先行して前記ルーパの動作域に達して、前記針よりも前記ルーパの進出側にてルーパ糸を捉え、該ルーパ糸を緊張下に保持すると共に、前記針の下動から上動への転換に同期して退入動作を開始し、この退入動作中に前記ルーパ糸の保持を解除する保持手段を具備することを特徴とする。
【００１７】
【作用】
本発明においては、針の上下動に同期した進退動作をなす保持手段、即ち、針の下動の開始に伴って進出動作を開始し、上動の開始に伴って退入動作を開始する保持手段を、針板の下側を動作域として配し、針に先行してルーパの動作域に達する前記保持手段により、前記針よりもルーパの進出側にてルーパ糸を捉え、該ルーパ糸を緊張下に保持する動作、即ち、従来のリテーナの同様の動作を、針板上の生地に影響を及ぼすことなく行わせて、針の下動によるルーパ糸の捕捉を確実化して目飛びの発生を防ぎ、またルーパ糸を保持した状態での針糸の引き絞りにより、ルーパ糸が緩んだ状態となる所望の縫い目を、針糸の張力を過剰に強めることなく実現して表面皺の発生を防ぐ。
【００１８】
【実施例】
以下本発明をその実施例を示す図面に基づいて詳述する。図１は本発明に係るミシンの縫製動作の説明図である。なお以下の説明では、図示しない針板上にて送りを加えられる生地Ｗに対し、一本の針１とルーパ２とによる二重環縫いを行なうミシンについて述べるが、複数本の針１，１…とルーパ２とによる二重環縫い、二重環縫いと縁かがり縫いとを同時に行なう安全縫い、又は複数本の針１，１…とルーパ２とによる偏平縫いを夫々行なうミシンにおいても本発明の適用は可能である。
【００１９】
前記針１は、針板上での生地Ｗの送り域を含んで所定ストロークの上下動作を行い、また前記ルーパ２は、針板の下部において、針１の上下動の方向及び生地Ｗの送り方向の夫々と略直交する方向に進退動作するようになしてある。生地Ｗの送り方向は、図中に矢符により示されており、以下の説明においては、前記送りの下流側（図の左側）を後、上流側（図の右側）を前とし、また針１の動作については上動及び下動を用いる。
【００２０】
またルーパ２の動作については、図の配置では、送り方向に向かって左向きに進出動作が、右向きに退入動作が行なわれることから、左進及び右退なる記述を用いる。なおルーパ２の動作は、前記進退動作に前後の移動を伴い、針１の上下動位置を内側に含む長円形の軌道に沿って生じ、ルーパ２の左進は、針１の後側を通って行なわれ、同じく右退は、針１の前側を通って行なわれる。
【００２１】
針１には、上方から導かれた針糸10が下端近傍に形成された糸孔11に前側から挿通保持させてあり、この針糸10は、針１の下動により生地Ｗを貫通して針板下に繰り出されるようになしてある。またルーパ２には、先端近傍を前後に貫通する糸孔21が形成してあり、ルーパ糸20は、ルーパ２の前側に沿って先端に導かれ前記糸孔21を経て後側に導出させてあり、ルーパ２の左進により繰り出されるようになしてある。
【００２２】
本発明に係るミシンは、以上の如き動作をなす針１及びルーパ２に加えて、針板の下側、即ち、生地Ｗの下側を動作域として、後述の如くルーパ糸20の保持動作をなす保持杆３を備えている。該保持杆３は、生地Ｗの裏面と平行をなす面内にてルーパ２の後側に、長手方向を前後に向け、ルーパ２の左進端近傍に先端を臨ませて配設された棒材であり、長手方向、即ち、前後方向に進退動作するようになしてあり、以下の説明は、保持杆３のルーパ２に向かう動作を前進とし、逆方向の動作を後退として行なう。
【００２３】
針１、ルーパ２及び保持杆３の動作は、ミシン本体からの伝動により相互に関連して行なわれる。針１の上下動と保持杆３の進退動作とは互いに同期して生じ、保持杆３は、針１の下動と共に前進し、また針１の上動と共に後退するようになしてある。一方ルーパ２は、保持杆３と逆の進退動作をなし、保持杆３の前進（針１の下動）と共に右退し、保持杆３の後退（針１の上動）と共に左進するようになしてある。
【００２４】
図１（ａ）は、ルーパ２が左進端にある状態を示しており、このとき、針１は上動から下動へ転換し、保持杆３は後退から前進へ転換する。左進端にあるルーパ２は、左進の過程において捕捉した針糸10のループを保持しており、この針糸10は、針１が上側にある間に生地Ｗに加えられる送りにより引き出される。
【００２５】
前記ルーパ２は、左進端への到達後、前方への所定の移動を伴って右退を開始する。図１（ｂ）は、ルーパ２が右退を始めた後の状態を示している。針１は、ルーパ２の右退に先立って下動を開始しており、前記送りの完了時に生地Ｗを貫通して針板下に達し、右退中のルーパ２の後側にルーパ糸20が形成するループ内に、該ルーパ２に保持された針糸10の左側において挿通され、針１の下動に伴って前進する保持杆３は、ルーパ２の近傍にまで達する先端部により、ルーパ糸20による前記形成ループを針１よりも左側（ルーパ２の進出側）にて捉える。
【００２６】
ルーパ２に保持された針糸10のループは、図１（ｃ）に示す如く、ルーパ２が適宜に右退した段階にて外れ、このループに二重に挿通されたルーパ糸20は、針糸10への付与張力により針１の前回の挿通孔に引き締められる。このとき保持杆３は、下動位置にある針１と共にルーパ糸20の保持を継続しており、これらの保持部位は、図に明らかな如く、針糸10による引き締め部位の中間であって、相互に離れた位置にある。
【００２７】
この段階においてルーパ２は、後側への移動を伴って左進に転換し、また針１は上動に、保持杆３は後退に夫々転換する。ルーパ２の左進は、針１の後側において行なわれ、針１の上動に伴って後側に形成される針糸10のループは、左進するルーパ２により図１（ｄ）に示す如く捉えられ、針１及び保持杆３に保持されたルーパ糸20は、この後の針１の上動及び保持杆３の後退により外れ、ルーパ２に捉えられている針糸10のループ（前ループ）と、先にルーパ２から外れた針糸10のループ（後ループ）との間に掛け渡される。
【００２８】
なお、図１（ｄ）においては、針糸10とルーパ糸20との関係を明らかとするために、後ループが緩んでいるかの如くに図示されているが、このループは、実際には、図１（ｃ）から（ｄ）への移行の間に十分に引き締められている。即ち、針１の上動及び保持杆３の後退によるルーパ糸20の外れは、前記引き締めの後に生じることになり、前述した動作により形成される縫い目は、図７に示す如く、ルーパ糸20の二重環が針糸10の前後ループ間に緩みを有して掛け渡された形態をなす。
【００２９】
そしてルーパ糸20の緩みは、針１と保持杆３との間にてルーパ糸20が緊張状態にあっても生じるから、ルーパ糸20の付与張力を過剰に低下させる必要がなく、針１の下動により図１（ｂ）に示す如く行なわれるルーパ糸20の捕捉が確実になされ、また針糸10の付与張力を過剰に高める必要もなくなり、ルーパ２の進出により図１（ｄ）に示す如く行なわれる針糸10の捕捉が確実になされ、目飛びの発生を未然に防止することができ、更には、針糸10の付与張力を低下させ得ることにより、パッカリングの発生を防ぐことができ、高い仕上がり品質を安定して実現できる。
【００３０】
そして本発明に係るミシンにおいては、ルーパ糸20を保持するための保持杆３の動作が、生地Ｗの送り面となる針板の下側を動作域として行なわれる結果、図７中に示す空孔Ｈ，Ｈ…の如き動作痕が生地Ｗに残る虞れがなく、仕上がり品質の更なる向上が達成される。
【００３１】
図２は、以上の如き動作をなす保持杆３の駆動機構の一例を示す側面図、図３は、図２の III−III 線による要部平面図である。本図において保持杆３の駆動軸30は、ミシンアームＡの後側に付設された伝動ボックス31において、ミシンアームＡ内部の図示しない主軸にエキセン環を介して連結され、前記主軸の回転に応じて所定角度の揺動をなす揺動軸である。
【００３２】
ミシンアームＡの先端部には、上下方向への摺動自在に針棒12が保持させてあり、ミシンベッドＢ上に架設された針板14をその下方に臨む前記針棒12の先端には、針止め13を介して針１が取り付けてある。前記主軸は、針棒12への伝動により針１を上下動させるための伝動軸であり、前記駆動軸30の揺動は、針１の上下動に関連して生じるようになっている。
【００３３】
駆動軸30は、前記伝動ボックス31の一側（ミシンアームＡの先端側）に突出させてあり、この突出部にその一端を固設された連結アーム32の他端は、下方に延設されて、ミシンベッドＢ上に突出する連結板33を介してスライド板34の後端に取り付けられている。スライド板34は、ミシンベッドＢの内部に略水平をなして架設された基板35上に２か所の止めねじ36，36により取り付けてあり、これらの止めねじ36，36の挿通のための長孔37，37を案内として前後に摺動するようになしてある。
【００３４】
図２及び図３に示す如く、スライド板34の摺動位置は、針１の上下動位置（針落ち位置）の後方であって、右側（ルーパ２の退入側）に十分離した位置に設定してあり、保持杆３は、スライダ板34の中途部に左向きに突出する態様に取り付けた支持板38の先端に、前方に向けて略水平に取り付けてある。
【００３５】
以上の如く構成された駆動機構において、主軸の回転に伴う駆動軸30の揺動が連結アーム32を介してスライド板34に伝達され、該スライド板34が基板35上にて前後方向に摺動し、この摺動が支持板38を介して保持杆３に伝達されて、該保持杆３を前進及び後退させることができる。このような保持杆３の動作位置は、スライド板35に対する支持板38の取り付け位置の調節により左右に、また支持板38の先端での保持杆３の取り付け位置の調節により前後に夫々微調整することができ、図１に示す保持杆３の動作、特に、ルーパ糸20の捕捉のための保持杆３の前進を確実に行なわせることができる。
【００３６】
また、以上の如き駆動機構の主要部は、ルーパ２及び送り歯５への伝動機構の配設により空間的な余裕の少ない針板14の下側を避けて構成されており、針板14の下部には、細径の保持杆３の配設が必要となるのみであり、保持杆３の後付けが容易に行なえる効果がある。
【００３７】
保持杆３の動作は、図１に示す如き前進及び後退に限るものではなく、針１の下動に伴ってこれよりもルーパ２の進出側に位置し、該位置に残るルーパ糸20を捉え得る動作であればよい。
【００３８】
図４は、異なる動作をなす保持杆を備えた本発明に係るミシンの縫製動作の説明図である。本図に示す保持杆４は、針１とルーパ２との交叉位置を下側から臨む態様に配してあり、図４（ａ）ないし図４（ｂ）に示す如く、針１の下動に伴って上方向に進出動作し、針１よりもルーパ２の進出側においてルーパ糸20を捉え、図４（ｃ）ないし図４（ｄ）に示す如く、次なるルーパ２の進出までの間、捉えたルーパ糸20を所定の緊張下に保持する動作をなし、これにより、図１に示すミシンと全く同様の縫製が行われる。
【００３９】
図５は、以上の動作をなす保持杆４の駆動機構の一例を示す斜視図、図６は、図５と逆方向から見た要部拡大斜視図である。なおこれらの図は、二重環縫いと同時に縁かがり縫いを行う安全縫いミシンにおける適用例となっている。
【００４０】
図６に示す如く保持杆４は、ミシンベッドＢ前下部の基台40に取り付けたリテーナ棒41の上端に、針板14下での針１とルーパ２との交叉部位を、斜め前方下側から臨む態様に固定され、基台40に対するリテーナ棒41の摺動により、図４に示す進退動作を行う構成となしてある。
【００４１】
基台40の前面に固設されたブラケット42には、リテーナ棒41と略直交する横軸回りに揺動する揺動軸43が枢支してあり、基台40の両側に突出する揺動軸43の両端部には、揺動アーム44，45が夫々固設され、一側の揺動アーム44は、前記リテーナ棒41の下端にリンク部材46を介して連結されている。
【００４２】
また他側の揺動アーム45は、図５に示す如く、ミシンベッドＢの一側に突出するルーパ駆動軸22に嵌合するエキセン環23に、連結ロッド24を介して連結されている。ルーパ駆動軸22は、針板14の下部に図６に示す如くに配された二重環縫い用のルーパ２の駆動のための軸であり、該ルーパ２のストローク調整のためにミシンベッドＢの一側に突出させてあり、エキセン環23の取り付けは、この突出部位を利用して行われている。
【００４３】
以上の構成においては、ルーパ駆動軸22の回転がエキセン環23及び連結ロッド24を介して揺動アーム45に伝達され、該揺動アーム45の先端には、ルーパ駆動軸22の一回転毎に各一回の押し引き力が作用し、揺動軸43が所定の角度範囲にて揺動し、この揺動が、他側の揺動アーム44及びリンク部材46を介してリテーナ棒41の下端に作用し、該リテーナ棒41上端の保持杆４は、所定ストロークの上下動作を行う。この上下動作のタイミングは、ルーパ駆動軸22へのエキセン環23の取り付け角度により、ルーパ２の動作に対して自在に設定でき、図４に示す如き保持杆４の動作を実現することができる。
【００４４】
図６中の2aは、二重環縫いと同時に行われる縁かがり縫いのための下ルーパ、2bは、同じく縁かがり縫いのための上ルーパであり、図４に示す保持杆４は、前記下ルーパ2aの動作域の確保のために、図１に示す保持杆３の配設が困難となる安全縫いミシンにおいて有効な配置である。
【００４５】
更に、前記保持杆４の駆動のために図５及び図６に示す駆動機構を採用した場合、ルーパ２、下ルーパ2a及び図示しない送り歯への伝動機構の配設により空間的な余裕の少ない針板14の直下には、細径の保持杆４の配設が必要となるのみであり、無理なく構成できると共に、保持杆４のストローク、動作タイミング等の微調整が、ミシンベッドＢの前側又は一側端部において容易に行え、使い勝手に優れたものとなる。なお、図６中の1aは、縁かがり縫いのための針であり、この針1aは、二重環縫い用の針１と並べて、針棒12の下端に針止め13を介して取り付けてある。
【００４６】
但し、図２及び図３、並びに、図５及び図６に夫々示す駆動機構は、保持杆３又は保持杆４の駆動のための駆動機構の実施例を示すものであり、これらと異なる構成の駆動機構を採用してもよいことは言うまでもない。更に、保持杆３，４は、針板14の下側を動作域とするものであればよく、その動作方向は、実施例中に示す前後方向及び斜め上下方向に限るものではない。
【００４７】
【発明の効果】
以上詳述した如く本発明に係るミシンにおいては、針の上下動に同期して進退動作をなす保持手段を針板の下側を動作域として設け、この保持手段が、針に先行してルーパの動作域に達し、針よりもルーパの進出側にてルーパ糸を捉える構成としたから、針糸及びルーパ糸の張力バランスを過剰に変更することなくルーパ糸が弛緩した所望の縫い目が得られ、このとき、針によるルーパ糸の捕捉及びルーパによる針糸の捕捉を確実に行わせて目飛びの発生と共に、針糸の過剰張力によるパッカリングの発生を有効に防止できる上、針板上の生地に痕跡を残る虞れがなく、良質な縫製品を安定して得ることができる等、本発明は優れた効果を奏する。
【図面の簡単な説明】
【図１】本発明に係るミシンの一実施例を示す縫製動作の説明図である。
【図２】図１に示すミシンにおける保持杆の駆動機構の一例を示す側面図である。
【図３】図２の III−III 線による要部の平面図である。
【図４】本発明に係るミシンの他の実施例を示す縫製動作の説明図である。
【図５】図４に示すミシンにおける保持杆の駆動機構の一例を示す斜視図である。
【図６】図５と逆方向から見た要部拡大斜視図である。
【図７】安全縫いミシンによる縫い目を生地の裏面側から見た平面図である。
【図８】安全縫いミシンによる縫い目を生地の裏面側から見た平面図である。
【符号の説明】
１  針
２  ルーパ
３  保持杆
４  保持杆
10  針糸
14  針板
20  ルーパ糸
22  ルーパ駆動軸
23  エキセン環
24  連結ロッド
30  駆動軸
32  連結ロッド
34  スライド板
Ａ  ミシンアーム
Ｂ  ミシンベッド
Ｗ  生地
【図１】
0003799455.tif 000002
【図２】
0003799455.tif 000003
【図３】
0003799455.tif 000004
【図４】
0003799455.tif 000005
【図５】
0003799455.tif 000006
【図６】
0003799455.tif 000007
【図７】
0003799455.tif 000008
【図８】
0003799455.tif 000009